(57)【要約】【課題】結束テープで枝を支柱に固定する際に、テープを破裂させることなく正確に引き出し、結束作業の連続性を確保可能とした園芸用結束機を提供する。【解決手段】本体１、テープ収蔵函２ａ、テープ案内台２、結束針案内台３、その先端の結束部３ａを有し、かつ、回転軸５に連結した乗降作動体４と加圧レバー４ａを有し、乗降作動体４の先端部に作動機６を有し、作動機を通して結束テープ７を結束部３ａに引き出し結束針３ｂにて結束した後、これを切断する切断カッター８を有しており、作動機６内に加圧突片６３の連結部を回転可能に軸止して配設し、加圧突片の内側に加圧突片を外方に弾圧する緩衝部材を装着し、かつ加圧突片の外側に両側に分岐した押し板６３７を間隔を保って付着させ、加圧突片６３が弾力を受けながら回動できるようにし、加圧突片の先端部付近に牽引針６７の先端部を挿通可能な通孔部６３３を形成した。【選択図】      図６
2004224412.tif 000002
【特許請求の範囲】
【請求項１】
一側の開放された本体１の底面に、テープ収蔵函２ａを形成したテープ案内台２を設置し、本体の上面には結束針案内台３を装置してその先端部に結束部３ａを形成し、かつ、本体１の上部には乗降作動体４を回転軸５に連結し加圧レバー４ａを結合し、乗降作動体４の先端部には作動機６を設置し，その作動機を通して結束テープ７を結束部３ａに引き出し、結束針３ｂにて結束した後、本体１の先に付着された切断カッター８で切断するようにした園芸用結束機において、作動機６内に加圧突片６３の連結部を回転可能に軸止して配設し、加圧突片の内側に加圧突片を外方に弾圧する緩衝部材を装着し、かつ加圧突片の外側に両側に分岐した押し板６３７を間隔を保って付着させ、加圧突片６３が弾力を受けながら回動できるようにし、加圧突片の先端部付近に牽引針６７の先端部を挿通可能な通孔部６３３を形成してなる園芸用結束機。
【請求項２】
緩衝部材が板スプリング６３９であることを特徴とする請求項１に記載の園芸用結束機。
【請求項３】
緩衝部材がコイルスプリング６３９ａで、作動機６の前面下部に結束針成形具の内側にまで延長されるように突出部６５を形成し、その上面にコイルスプリング６３９ａが挿入されるスプリング固定溝６５１を形成し、加圧突片６３の内面突出部６３５間にコイルスプリング６３９ａを架設することを特徴とする請求項１記載の園芸用結束機。
【発明の詳細な説明】
【０００１】
【発明の属する技術分野】
本発明は、結束テープを支柱に括って枝を固定するに使う園芸用結束機に関する。
【０００２】
【従来の技術】
本願出願人は園芸用結束機について多数の特許権及び実用新案権を保有している。本発明は本願出願人が保有している先登録された特許発明結束機のテープ引き出しと切断に係わる部分を改良して安全な引き出しと正確な切断により誤動作を防止した。
【０００３】
本発明に先行する先登録の園芸用結束機は図１０の如く、テープを引き出すための牽引針６６´がテープに投入されるときにテープを支える加圧突片６３´が作動機に固定されて動かない構成なので、テープに牽引針が貫通する瞬間の衝撃を緩和することができず、牽引針の加圧抵抗がそのままテープに伝わるので、寒冷気温環境でテープが緊張されている場合、テープがすぐに破裂してしまう事態が発生しやすく、テープを確実に引き出せない不便があった。
【０００４】
また、牽引針６６´がテープを引張ってから結束機の作業空間Ａ内部でフックを作って、結束しようとする枝と支持台をテープで囲むようにし、加圧レバー４ａをもって乗降作動体４を下降させて結束部３ａと乗降作動体４を接続させれば、結束針案内台３で結束針が吐出されてテープを結束し、本体１の先に設置された切断カッター８が結束されたテープの外側を切断するようになるが、この際に切断されたテープの端部がテープ案内部３２から内側に向いて曲がらず、ぱりっと立ってしまう場合が時々発生する。
【０００５】
このような場合、テープの継続的な結束のためには乗降作動体４が設置されたテープ案内部とテープの先に牽引針６６´を正確に投入しなければならないのに関わらず、テープが弛緩されてしまうため、誤動作が生じ、牽引針を利用したテープの引き出しが行なわれなくなり、連続結束作業を遂行することができなくなってしまう不便があった。
【０００６】
【発明が解決しようとする課題】
本発明は、上記のような従来の欠点を改善するために案出されたもので、園芸用結束機の作動機に設置する加圧突片が、支持軸を中心として弾力性で緩衝作用して回動されるように構成し、テープを引き出す時に牽引針の投入作動衝撃を緩め、テープの破裂を防止することによって、安全な引き出しが達成され、加圧突片の外側に押し板を取付け、結束準備を正確にすることによって、結束作業の連続性を保障できるようにしたものである。
【０００７】
【課題を解決するための手段】
本発明は、一側の開放された本体１の底面に、テープ収蔵函２ａを形成したテープ案内台２を設置し、本体の上面には結束針案内台３を装置してその先端部に結束部３ａを形成し、かつ、本体１の上部には乗降作動体４を回転軸５に連結し加圧レバー４ａを結合し、乗降作動体４の先端部には作動機６を設置し，その作動機を通して結束テープ７を結束部３ａに引き出し、結束針３ｂにて結束した後、本体１の先に付着された切断カッター８で切断するようにした園芸用結束機において、作動機６内に加圧突片６３の連結部を回転可能に軸止して配設し、加圧突片の内側に加圧突片を外方に弾圧する緩衝部材を装着し、かつ加圧突片の外側に両側に分岐した押し板６３７を間隔を保って付着させ、加圧突片６３が弾力を受けながら回動できるようにし、加圧突片の先端部付近に牽引針６７の先端部を挿通可能な通孔部６３３を形成してなることを特徴とする園芸用結束機を提供する。
【０００８】
一方、上記で加圧突片６３の支持部に設置される緩衝部材は、板スプリング６３９又はコイルスプリング６３９ａを使うことができる。板スプリングを設置する場合、加圧突片の支持部に板スプリングの上部を付着し、板スプリングの下端が区画部６２の突出部６２ｂの内側６２ａに接続されるように設置し、コイルスプリングを設置する場合は、作動機６の下部に結束針成形具６９の内側に至るよう突出部６５を形成し、その内側面にコイルスプリングが固定されるスプリング固定溝６５１を形成し、スプリング固定溝と加圧突片６３に形成した突出部６３５との間にコイルスプリングを配設し、加圧突片６３が間隔部内で弾力性を持ちながら支持軸６３１を中心として回動できるように構成するのが好ましい。
【０００９】
【発明の実施の形態】
以下、一例の実施形態として示した図面によって本発明を説明する。
図１は本発明園芸用結束機の乗降作動体４の端部に装着された作動機６の要部を示す図面で、作動機６には園芸用結束機として、牽引針６６及び作動レバー６７が突出するようにして設置され、その間に係止解除用の誘導板６８を介装しているが、牽引針６６及び作動レバー６７の先端部の牽引針進入方向の直近位置には、両側に分岐した押し板６３７及びこれの内側に若干間隔を置いて並設した加圧突片６３が設置してある。
園芸用結束機全体は、従来機と同様な構成を持って形成することができ、例えば、一側が開放された本体１の底面に、テープ収蔵函２ａを形成したテープ案内台２を設置し、本体の上面には結束針案内台３を装置してその先端部に結束部３ａを形成し、かつ、本体１の上部には乗降作動体４を回転軸５に連結し加圧レバー４ａを結合し、乗降作動体４の先端部には作動機６を設置してその作動機６を通して結束テープ７を結束部に引き出し、結束針にて結束した後、本体１の先に付着された切断カッター８で切断するようにしてある。
【００１０】
図２は、作動機６の内部に設置された加圧突片６３の設置状態を示す分解斜視図で、図面のように割り型に形成した作動機６の内側には区画部６２が形成され、割り型両側に対称的に支持孔６１が形成されており、加圧突片６３の連結部には両側に支持軸６３１が突設されており、この支持軸６３１が上記区画部６２に形成された支持孔６１に嵌まって軸止され、この時に加圧突片６３の支持部の内側（押し板６３７側と反対側）には板スプリング６３９又は図８の如くコイルスプリング６３９ａが装着され、外側には押し板６３７の固定部６３７ａが一体的に固着され、加圧突片６３の支持軸６３１の回転と上記スプリングの弾圧力と共同作動により、加圧突片６３の下端が一定範囲内で回動するようになっている。加圧突片６３の先端部付近には牽引針６６の先端部に形成された鈎部６６ａが挿通可能な通孔部６３３を形成してある。押し板６３７は弾性を有して、加圧突片６３と若干間隔をおいて対面状態となっている。また、作動レバー６７、誘導板６８、及び牽引針６６は順次上側に重なり、一端部を作動機６に回転自在に軸止し、かつ互いに回動を規制乃至解除できるように組み合わされている。
【００１１】
そうして、図４の如く、牽引針６６をもってテープ７を引出すために加圧レバー４ａを握圧し、乗降作動体４と結束針案内台３とを出会わせた状態において、作動機６に設置された加圧突片６３と押し板６３７の間に結束針案内台３のテープ案内部３２が投入され、加圧突片６３にテープ案内部３２がほぼ接触状態で突き合わさるように配置構成してある。テ一プ案内部３２は２枚並設状態の板部間の間隙にテープを挿通できるように構成されており、加圧突片６３と押し板６３７の間にテ一プ案内部３２を投入すると、押し板６３７がテープの両側を押しながら、テープ端部をテープ案内部３２の先端部から折り返してこれを囲うように折り曲げ、テープはテープ案内部３２の内側（加圧突片６３側）に密着させるように構成してある。このためテープの先端部が曲がり、テープ案内部３２に被されて結束準備が確実に行なわれるものとなる。
【００１２】
この構成によれは、テープ案内台２から上向に排出してから曲がっていたテープ７の端部が、押し板６３７と加圧突片６３により折り返して下向に押さえられながらテープ案内部３２の上部を囲み、下向に正確に曲がって、テープ７の先が二重に重なることを意味する。
【００１３】
結束準備が完了した状態で、レバー作動機３１により作動レバー６７を押し込めば、牽引針６６の進入作動を係止している誘導板６８の係止機構が外れ、牽引針６６に装着してあるスプリング６６ｂの付勢を受け、牽引針６６が進入作動してテープ７の端部に投入されることとなる。
【００１４】
一方、図４ないし図５は本発明の作動機６を具体的に示す断面例示図で、上記で説明したように、テープ７がテープ案内部３２に結束準備状態に待機しているときに乗降作動体４の加圧レバー４ａを押すと、テープ案内台２のレバー作動機３１が作動機６の作動レバー６７を押して牽引針６６を作動させる。つまり、牽引針６６がスプリング６６ｂの付勢力を受けてテープに投入されるときに、加圧突片６３は図５の如く、牽引針６６により押されながらスプリング６３９の弾力性によりクッション効果を奏しながら牽引針が作動する進行方向に回動するようになるが、この動作によりテープが貫通される瞬間の衝撃を緩和させることができる。したがって、テープ７が牽引針６６により貫通されるときに発生するテープの緩みや破裂が防止されることになる。
【００１５】
このように、牽引針６６がテープ７に貫通された状態で、乗降作動体４の作動レバー４ａに加える力を解除すると、乗降作動体４は装着してある復元用スプリング（公知の手段）により復元しながらテープ７を引き出すようになるが、作動機６が結束針案内台３から離れて加圧突片６３がテープ案内部３２から外れると、加圧突片６３は牽引針６６に作用するスプリングの付勢力により牽引針の作動進行方向に継続して圧力を受けて内側に移動し、結束針成形具６９の方に近づくことになる。この状態を維持しながらテープ７を引張り出して結束部３ａの前方に架設することができる。
【００１６】
この時に、図６に示す如く、結束しようとする被結束物をテープ７で囲むようにして内側空間Ａに押込み、さらに乗降作動体４を下降させて結束部３ａに結束針成形具６９を密着させて加圧すると、結束針案内台３が下降しながら本体１の内面に設置された結束針圧縮機３０が結束針３ｂを上方に押し出して、テープ７の結束部を結束し、乗降作動体４が継続して下降しテープ案内台３の先に形成されたレバー作動機３１が作動機６の作動レバー６７を押すと、牽引針６６が強制的に外側の元の位置に移動する。かつ、本体１の先に付着された切断カッター８がテープ７を切断し、被結束体へのテープ７の結束が完了することになる。この際、切断カッター８は加圧突片６３と押し板６３７との間に投入され、加圧突片６３の方に近づいた位置でテープの結束部の外側を切断するので、切断の滓も発生せずに切断が行われる。
【００１７】
こうして、結束と切断が終了し、乗降作動体４が上方に復帰すれば次の作動に備えるようになり、乗降作動体４が復帰すると板スプリング６３９により加圧突片６３は外向してテープ案内部３２の方に復帰し、作動体４が結束部３ａに近づくときにテープ案内部３２の内側に加圧突片６３が入ってテープ案内部３２の外側に押し板６３７が位置するようになって、次の作業を準備する。
【００１８】
また、テープの切断の際には、作動機６の加圧突片６３と押し板６３７の間に切断カッター８が投入されることにより、加圧突片６３と押し板６３７が切断カッター８の前後でテープ７を押さえるようになり、テープ７の正確な切断が行われるだけではなく、切断されたテープ７の端部がテープ案内部３２の内側に沿って下向に折り畳まれる。
【００１９】
また、図７の如く、目的物に対する結束が完成される時点で、牽引針６６の先端部（曲がり部）の外面が、テープ７切断直前に、テープ案内台３２を通して露出するテープ７の上面を、テープ案内部３２の切開部３２ａに沿ってもう一回押す構成によって、切断後にテープ案内部３２を通して露出したテープ７の端部が正確にテープ案内部３２の内側下向に曲がった状態を維持するようになすことができ、次の結束作業のために乗降作動体４が下降するときにテープの先が上の方に立ち上がってしまうことなく、図３のような状態を正確に維持することができるので、牽引針６６の投入とテープ７の正確な引出しが可能になる。
【００２０】
一方、図８は本発明の緩衝構成の他の実施例を示したもので、前記板スプリング６３９に代えてコイルスプリング６３９ａを設置し、加圧突片６３に弾力を与える構成とすることができる。これは図８のように、作動機６の前面下部に結束針成形具６９の内側に至るよう突出部６５を一体に形成し、その上面にはスプリング固定溝６５１を形成してコイルスプリング６３９ａを装着し、このコイルスプリングの他端を加圧突片６３に圧接させることによって弾力性を与えてある。その作用効果においては板スプリング６３９を設置したときと同様の効果を発揮することができる。
【００２１】
【発明の効果】
このように本発明は、作動機６の加圧突片６３が弾力を持ちながら作動機６の間隔部６２で加圧突片６３の支持軸６３１を中心として回動することができるので、牽引針６６がテープに投入されるときに、その衝撃を緩めてテープの破裂を防止し得るようになり、テープの引出し準備と切断過程において、その位置を正確に確保し、結束作業による誤動作を防止して、結束機を利用した結束作業をより迅速で能率的に遂行することができるようになるのみならず、結束作業の連続性を保障することができ、使用しやすい利点がある。
【図面の簡単な説明】
【図１】本発明園芸用結束機の作動機の要部を示す部分斜視図である。
【図２】本発明の作動機の分解斜視図である。
【図３】本発明の牽引針がテープ押す直前の状態を示す部分断面図である。
【図４】本発明の作動機を横にして示した断面図である。
【図５】図４の作動機の加圧突片の作動状態を示す断面図である。
【図６】本発明の切断カッターによりテープが切断される直前の状態を示す部分断面図である。
【図７】図７を外観的に示す斜視図である。
【図８】本発明の緩衝部材の別の実施例を示す作動機の断面図である。
【図９】園芸用結束機の使用状態を示す一部切断の正面図である。
【図１０】従来の園芸用結束機を示す一部切断の正面図である。
【符号の説明】
１      本体
２      テープ案内台
２ａ    テープ収蔵函
３      結束針案内台
３ａ    結束部
３ｂ    結束針
３０    結束針圧縮機
３１    レバー作動機
３２    テープ案内部
３２ａ  切開部
４      乗降作動体
４ａ    加圧レバー
５，５ａ  回転軸
６      作動機
６１    支持孔
６２    区画部
６３    加圧突片
６３１  支持軸
６３３  通孔部
６３５  突出部
６３７  押し板
６３９  板スプリング
６３９ａ  コイルスプリング
６５    突出部
６５１  スプリング固定溝
６６    牽引針
６７    作動レバー
６８    誘導板
６９    結束針成形具
７      テープ
８      切断カッター
【図１】
2004224412.tif 000003
【図２】
2004224412.tif 000004
【図３】
2004224412.tif 000005
【図４】
2004224412.tif 000006
【図５】
2004224412.tif 000007
【図６】
2004224412.tif 000008
【図７】
2004224412.tif 000009
【図８】
2004224412.tif 000010
【図９】
2004224412.tif 000011
【図１０】
2004224412.tif 000012